(57)【要約】【課題】バッグの容量を大きくしても折り畳みの際にフレームとの干渉がなく、操作性に優れた手押し車を提供する。【解決手段】本発明に係る手押し車１は、下端部に前輪３が取り付けられた左右一対の前脚５と、下端部に後輪７が取り付けられた左右一対の脚と、着座姿勢と起立姿勢との間で姿勢変更可能に取り付けられた腰掛部１３と、該腰掛部１３に設けられた収納バッグ支持部材１５に支持された収納バッグ１７とを備え、前脚５と後脚９の前後の間隔を小さくすることで折り畳み可能とした手押し車１であって、  折り畳み状態にする際に連動して、前記腰掛部１３が起立姿勢となることで、前記腰掛部１３の収納バッグ支持部材１５に支持された前記収納バッグ１７が上方に移動して、前脚５及び後脚９との干渉を避けるように構成されている。【選択図】  図１
2019217945.tif 000002
【特許請求の範囲】
【請求項１】
下端部に前輪が取り付けられた左右一対の前脚と、下端部に後輪が取り付けられた左右一対の後脚と、着座姿勢と起立姿勢との間で姿勢変更可能に取り付けられた腰掛部と、該腰掛部に設けられた収納バッグ支持部材に支持された収納バッグとを備え、前脚と後脚の前後の間隔を小さくすることで折り畳み可能とした手押し車であって、
折り畳み状態にする際に連動して、前記腰掛部が起立姿勢となることで、前記腰掛部の収納バッグ支持部材に支持された前記収納バッグが上方に移動して、前記前脚及び後脚との干渉を避けるように構成されていることを特徴とする手押し車。
【請求項２】
前記前脚に回転自在に設けた支持ローラによって、前記腰掛部の両側の下部を支持し、折り畳み操作によって前記支持ローラが前記腰掛部を押し上げることで前記腰掛部が起立するように構成したことを特徴とする請求項１記載の手押し車。
【請求項３】
前記収納バッグは、その両側面を、上部前部が前方に、下部後部が後方に傾く方向に回動する状態で支持され、
前記収納バッグの背面に当接して、前記収納バッグが直立状態になる方向に姿勢を保持するバッグ姿勢保持部材を設けたことを特徴とする請求項１又は２に記載の手押し車。
【発明の詳細な説明】
【技術分野】
【０００１】
本発明は、高齢者が散歩や買い物に利用するいわゆるシルバーカーと呼ばれる手押し車に関する。
【背景技術】
【０００２】
手押し車の主な用途は散歩等を行う際の歩行の補助に用いるものであるが、使用しないときに小さくできるように折り畳みが可能なこと、また歩行に疲れた際に座ることができるように腰掛部があること、さらに散歩に必要な物品を入れるための収納用のバッグが付属していること、などの要請がある。
【０００３】
このような要請を満たすものとして、特許文献１に開示があり、この手押し車は、「下端に前輪を転動自在に支持する左右の前輪脚部と、下端に後輪を転動自在に支持する左右の後輪脚部と、ハンドルを下方から支持する上下方向に長い左右のハンドル支柱部と、前記各ハンドル支柱部を上下方向にスライド自在に支持するとともに、前記各前輪脚部及び各後輪脚部が使用状態の開脚位置と折り畳み状態の閉脚位置とに選択可能となるように当該各前輪脚部及び各後輪脚部の上端部を回動自在に枢支する枢支部を下端に有する左右の縦筒フレームと、前記各縦筒フレームの上下両端同士の間を左右方向へ延びて連結する上下の横フレームとを備えた手押し車であって、
前記各縦筒フレームに沿って起立する格納位置と前方に倒伏して着座可能な着座位置とに変換される腰掛部と、前記各前輪脚部同士の間に収容され、上方に開口する開口部より荷物を本体部内に収納する収納用バスケットとが設けられており、
前記腰掛部は、その左右両側に沿って延びる左右の腰掛フレームを備え、この各腰掛フレームの基端がそれぞれ前記各縦筒フレームに回転自在に支持されている一方、
前記収納用バスケットは、その後面の左右両側端を支持しつつ前記開口部に向かって上方へ延びる左右の上下フレームを備え、この各上下フレームの上端がそれぞれ前記各腰掛フレームの先端部に回転自在に支持されていることを特徴とする」ものである。
【０００４】
特許文献１の手押し車は、腰掛部に収納用バスケットが支持される構造であり、腰掛部は、着座可能な着座位置と、腰掛部が起立した格納位置との間で変換可能になっている。
しかしながら、折り畳み動作と腰掛部の位置変換とは連動しておらず、折り畳みの操作とは別に腰掛部の位置変換を手動で行うようになっている。
【先行技術文献】
【特許文献】
【０００５】
【特許文献１】特開２０１７−１１４１８８号公報
【発明の概要】
【発明が解決しようとする課題】
【０００６】
従来のシルバーカー等の手押し車は、歩行の補助としての用途が主であり、それ故に付属する収納バッグは散歩に必要な物品が収納できる容量の小さいものが一般的であった。
しかしながら、最近では、散歩のみならず買い物に行く際にも手押し車が利用され、買い物した商品を収納できるようにするため、収納バッグの大容量化の要請がある。
【０００７】
収納バッグが配置される空間は、腰掛部の下方で、かつ、前脚と後脚の間である。そして、手押し車を折りたたむ際には、前脚と後脚が近づくため、収納バッグの配置される空間が狭くなる。このため、従来例では、取り付けられる収納バッグの大きさが、折り畳み状態でも前脚及び後脚と干渉しないごく小さいものに限定されていた。
【０００８】
もっとも、特許文献１に開示のものでも、手押し車を折りたたむ際に、腰掛部を手動にて起立した格納位置に変更することで、各前輪脚部と各後輪脚部に収納バッグが干渉しないようにすることは可能であると思われる。
しかし、折り畳み操作をしながら、腰掛部を手でもって起立させるのは、特に高齢者にとっては容易とはいえず、操作性の悪いものとなる。
【０００９】
本発明はかかる課題を解決するためになされたものであり、バッグの容量を大きくしても折り畳みの際にフレームとの干渉がなく、操作性に優れた手押し車を提供することを目的としている。
【課題を解決するための手段】
【００１０】
（１）本発明に係る手押し車は、下端部に前輪が取り付けられた左右一対の前脚と、下端部に後輪が取り付けられた左右一対の後脚と、着座姿勢と起立姿勢との間で姿勢変更可能に取り付けられた腰掛部と、該腰掛部に設けられた収納バッグ支持部材に支持された収納バッグとを備え、前脚と後脚の前後の間隔を小さくすることで折り畳み可能とした手押し車であって、
折り畳み状態にする際に連動して、前記腰掛部が起立姿勢となることで、前記腰掛部の収納バッグ支持部材に支持された前記収納バッグが上方に移動して、前記前脚及び後脚との干渉を避けるように構成されていることを特徴とするものである。
【００１１】
（２）また、上記（１）に記載のものにおいて、前記前脚に回転自在に設けた支持ローラによって、前記腰掛部の両側の下部を支持し、折り畳み操作によって前記支持ローラが前記腰掛部を押し上げることで前記腰掛部が起立するように構成したことを特徴とするものである。
【００１２】
（３）また、上記（１）又は（２）に記載のものにおいて、前記収納バッグはその両側面を、上部前部が前方に、下部後部が後方に傾く方向に回動する状態で支持され、
前記収納バッグの背面に当接して、前記収納バッグが直立状態になる方向に姿勢を保持するバッグ姿勢保持部材を設けたことを特徴とするものである。
【発明の効果】
【００１３】
本発明に係る手押し車は、腰掛部に設けた収納バッグ支持部材に収納バッグを支持し、折り畳み状態にする動作に連動して、腰掛部が起立姿勢となることで、収納バッグ支持部材に支持された収納バッグが上方に移動して、前脚及び後脚との干渉を避けるように構成したので、収納バッグの大きさを、手押し車を折り畳んだ際の前脚と後脚のスペースに入る大きさに限定されずに大型化することができる。
【図面の簡単な説明】
【００１４】
【図１】本発明の実施の形態にかかる手押し車の着座可能状態の正面側から見た斜視図である。
【図２】本発明の実施の形態にかかる手押し車の折り畳み状態の正面側から見た斜視図である。
【図３】本発明の実施の形態にかかる手押し車の走行可能状態の正面側から見た斜視図である。
【図４】図１に示した手押し車の背面側から見た斜視図である。
【図５】図２に示した手押し車の背面側から見た斜視図である。
【図６】図３に示した手押し車の背面側から見た斜視図である。
【図７】図１に示した手押し車の上面側から見た斜視図である。
【図８】収納バッグの着脱方法を説明する説明図である。
【発明を実施するための形態】
【００１５】
本実施の形態に係る手押し車を図１〜図８に基づいて説明する。
なお、本実施の形態に係る手押し車は、図１に示す着座可能状態、図２に示す折り畳み状態、図３に示す走行可能状態の３つの状態に切り替えることができるものであり、図４、図５、図６は、それぞれ着座可能状態、折り畳み状態、走行可能状態の背面側の斜視図である。
【００１６】
本実施の形態に係る手押し車１は、図１〜図６に示すように、下端部に前輪３が取り付けられた左右一対の前脚５と、下端部に後輪７が取り付けられた左右一対の後脚９と、後脚９に連続して設けられた左右一対の支持柱１１と、着座姿勢と起立姿勢との間で姿勢変更可能に取り付けられた腰掛部１３と、腰掛部１３に設けられた収納バッグ支持部材１５に支持された収納バッグ１７と、前脚５と後脚９の前後の間隔を小さくすることで折り畳み可能とした折り畳み機構１９とを備えた手押し車１である。
以下、各構成および各構成に付属する部品等について説明する。
＜前脚＞
前脚５は左右一対からなり、下端部に前輪３が設けられ、上端部が支持柱１１に上下方向に移動可能に設けられたブラケット２１に回動可能に連結されている。
前脚５は、図１に示すように、上端部から下方に延出する下凸で緩やかに湾曲する緩湾曲部５ａを有し、湾曲部の下端に連続して鉛直方向に向かって急激に湾曲する急湾曲部５ｂを有し、急湾曲部５ｂから連続して鉛直になった部位の下端に前輪３が取り付けられている。
【００１７】
前脚５における急湾曲部５ｂには、左右の前脚５を連結する前脚連結部材２３が設けられている。
前脚５における緩湾曲部５ａには、内側に向けて突出して腰掛部１３の下部を支持する回転自在の腰掛部支持ローラ２５が設けられている。
【００１８】
＜後脚＞
後脚９は左右一対からなり、下端部に後輪７が設けられ、上端部は支持柱１１に連続している。
左右一対の後脚９の一方には、傘の石突きを受ける受け部材２７が取り付けられている。傘は、その石突きを受け部材２７に乗せて、支持柱１１に設けた図示しない締結バンドで締結することで支持柱１１に保持することができる。
【００１９】
＜支持柱＞
支持柱１１は、まっすぐな左右一対の棒状体からなり、その上端部にはハンドル２９が設けられている。また、支持柱１１の上端部でハンドル２９少し下方には、後輪７にブレーキをかけるためのブレーキ棒３１が左右の支持柱１１に亘るように設けられている。ブレーキ棒３１には、図示しないワイヤが連結され、ワイヤの先端には後輪７に設けられたブレーキ機構に連結されている。ブレーキ棒３１をハンドル２９に近づく方向に操作することで、ブレーキがかかる仕組みになっている。
【００２０】
支持柱１１におけるブレーキ棒３１の少し下には、半月状の背もたれ３３が左右の支持柱１１に亘るように設けられている。この背もたれ３３は、図１の矢印で示す方向に回動可能になっており、図１の直立状態から水平状態にすることができる。また、背もたれ３３は、図１に示す直立状態になるように図示しない付勢手段で付勢されている。さらに、背もたれ３３における水平状態で下面両端には、爪部３３ａが設けられている。背もたれ３３はこのような構成を有することで、腰掛部１３に買い物かごを載置した状態で、背もたれ３３を水平状態にして爪部３３aを買い物かごの縁部に係止させて買い物かご止め部材として機能させることができる。
また、片方の支持柱１１（図４の図中右側の支持柱１１）における背もたれ３３の少し下方には、後述するフック３７が係止する係止突起３５が設けられている（図４参照）。
【００２１】
支持柱１１の下部には、前述したように、上下動可能な左右一対のブラケット２１が取り付けられている。ブラケット２１は、支持柱１１が挿入されている筒状部２１ａと筒状部２１ａから前方に張り出すように形成された張り出し部２１ｂとを備えている。張り出し部２１ｂには、前述したように前脚５の上端部が回動可能に取り付けられている。
片側のブラケット２１（図４の図中右側の支持柱１１に設けられたブラケット２１）には、係止突起３５に係止させるためのフック３７が設けられている。フック３７を係止突起３５に係止することで、ブラケット２１が下方に移動するのを規制することができ、後述するように折り畳み状態を維持することができる。
【００２２】
支持柱１１における、図１、図４においてブラケット２１が位置している部位には、図４に示すように、常時は出状態に付勢された出没可能な突起３９が設けられている。突起３９は、常時は出方向に付勢されており、押すことで没状態にできるようになっている。ブラケット２１における筒状部２１ａには、突起３９が挿入して係止する係止穴（図示なし）が設けられており、突起３９が係止穴に係止することで、ブラケット２１の位置が固定される。
【００２３】
ブラケット２１には、左右のブラケット２１に亘るように横部材４１が取り付けられており、横部材４１の中央部には操作部４３が設けられている。操作部４３は操作ハンドル４５を有し、操作ハンドル４５を後方側に引き上げることで（図４の黒矢印参照）、横部材４１内の操作機構（図示なし）を介して突起３９を没入させて突起３９とブラケット２１の係止穴との係止を外すことができ、ブラケット２１を支持柱１１に沿って移動可能な状態にすることができる。
【００２４】
＜腰掛部＞
腰掛部１３は、略Ｕ字状の座フレーム４７と、座フレーム４７の上に設置された座板部４９とを有している。座フレーム４７の後端部が、支持柱１１に取り付けられた支持機構５１によって、着座姿勢と起立姿勢との間で姿勢変更可能に取り付けられ、座フレーム４７の下部が前脚５に取り付けられた腰掛部支持ローラ２５によって支持されている。
支持機構５１は後述する折り畳み機構１９の一要素であるがここで概説する。支持機構５１は、後端側が支持柱１１に固定され、前端側が前方に延出する第１支持部材５１ａと、後端側が第１支持部材５１ａの前端に上下方向に回動可能に取り付けられ、前端側に座フレーム４７の後端が固定された第２支持部材５１ｂによって構成されている。
第２支持部材５１ｂの先端が鉛直下方に向く状態で、腰掛部１３が着座姿勢となるように、腰掛部１３の座フレーム４７が第２支持部材５１ｂに取り付けられている。したがって、腰掛部１３の座フレーム４７の回動軸は第２支持部材５１ｂの回動軸になり、腰掛部１３が着座姿勢では座フレーム４７の位置と座フレーム４７の回動軸の位置が上下にずれた状態になっている。座フレーム４７の位置と座フレーム４７の回動軸の位置がずれることの意義については、後述する。
【００２５】
腰掛部１３の下方には、収納バッグ１７を支持する収納バッグ支持部材１５が設けられている。収納バッグ支持部材１５は、略L字状の部材からなり、L字の一辺の端部が腰掛部１３の座フレーム４７に回転可能に取り付けられ、L字の他辺の端部が第２支持部材５１ｂに固定されている。
L字の辺の交差部の内側には、図８に示すように、後述する収納バッグ１７の支持突起５７が回転可能に載置される載置溝部５３が設けられている。載置溝部５３は、開口を斜め上方に向けたＵ字状で、かつ開口側が末広がりの形状をしている。
【００２６】
座フレーム４７の後端には、左右の座フレーム４７に亘るように、バッグ姿勢保持部材としての横棒５５が取り付けられている。この横棒５５は、折り畳み状態において、収納バッグ１７の背面に当接して収納バッグ１７の姿勢を保持する機能を有している。
【００２７】
＜収納バッグ＞
収納バッグ１７は、矩形箱状をしており、従来のものより容量の大きい大型のバッグである。もっとも、収納バッグ１７は、図１に示すように、前脚５と後脚９が開いた状態では、前脚５と後脚９との間に挿入可能な大きさである。図２に示すように、折りたたんだ状態では、前脚５と後脚９とが近づくため前脚５と後脚９との間のスペースは狭くなるが、収納バッグ１７はこのスペースからはみ出す程度の大きさを有している。
【００２８】
収納バッグ１７の両側部には、収納バッグ１７を収納バッグ支持部材１５の載置溝部５３に載置して支持するための支持突起５７が設けられている。支持突起５７は、軸部５７aと軸部５７aより大径の頭部５７ｂからなり、頭部５７ｂを載置溝部５３に挿入することによって揺動可能状態、かつ着脱可能状態で支持される。
【００２９】
支持突起５７が設けられている位置は、収納バッグ１７の側部において高さ方向で中央よりも少し上部であり、前後方向で少し後ろ寄りである。このため、収納バッグ１７を支持突起５７で支持すると、下部後部が後方に、上部前部が前方になるように傾いた姿勢になろうとする。
しかし、収納バッグ１７の背面側には、前述の横棒５５や後述の逆Ｕ字部材５９があり、これらが収納バッグ１７の背面に当接して収納バッグ１７を背面側から支持することで、収納バッグ１７は略鉛直姿勢になっている。
【００３０】
このように、本実施の形態では、傾いた姿勢になるように支持された収納バッグ１７を、背面側から横棒５５や逆Ｕ字部材５９によって押し返えして略鉛直姿勢にすることで、収納バッグ１７の姿勢を安定的に略鉛直姿勢に保持するようにしている。
なお、収納バッグ１７における側面部の前後方向中央部で収納バッグ１７を吊下げ支持すれば収納バッグ１７を略鉛直姿勢にすることはできるが、この場合には、仮に背面側に支持部材を設けたとしても、収納バッグ１７が前方向に揺動し易いため、手押し車１を走行させたときに、収納バッグ１７が揺れ動くことになる。
【００３１】
＜折り畳み機構＞
折り畳み機構１９は、手押し車１を走行可能な状態と折り畳み状態とに切り替えるための機構である。折り畳み機構１９は、後端が後脚９の下部に回転可能に取り付けられ、前端が前脚５の緩湾曲部５ａに回転可能に取り付けられた一対の斜材フレーム６１と、前脚５と斜材フレーム６１間に設けられたリンク機構６３を備えて構成されている。リンク機構６３は、後端が斜材フレーム６１に回転可能に取り付けられた後側リンク６３aと、前端が前脚５に回転可能に取り付けられた前側リンク６３ｂとを備え、前側リンク６３ｂの後端と後側リンク６３aの前端が回転可能に連結されている。
斜材フレーム６１には、収納バッグ１７の背面側を支持して姿勢を保持するバッグ姿勢保持部材としての逆Ｕ字部材５９が取り付けられている。
【００３２】
前側リンク６３ｂと前脚５との連結部、及び後側リンク６３aと斜材フレーム６１との連結部には、図７に示すように、ねじりバネ６５が取り付けられている。ねじりバネ６５によって、前側リンク６３ｂと前脚５及び後側リンク６３aと斜材フレーム６１との間には折り畳む方向、すなわち図１の角度α（前側リンク６３ｂと前脚５の成す角度）、β（斜材フレーム６１と後側リンク６３aの成す角度）を大きくする方向への付勢力が作用している。
この付勢力は、前脚５の上端を支持柱１１に沿って上方に移動する力となるが、前脚５の上端がブラケット２１によって移動規制されていることで開放状態が維持されている。
操作部４３を操作することで、ブラケット２１が支持柱１１を上方に移動可能になると、折り畳みが可能となる。
【００３３】
以上のように構成された本実施の形態の手押し車１の作用について説明する。
まず、図１、図４に示す着座可能状態から手押し車１を折りたたむ場合、横部材４１に設けられている操作部４３の操作ハンドル４５を、図４の矢印で示すように、後方斜め上方に向かって引き上げる。これによって、支持柱１１の突起３９とブラケット２１との係止が外れて、ブラケット２１が支持柱１１に沿って上方に移動可能になる。
【００３４】
この状態では、折り畳み機構１９の作用によって、ブラケット２１が支柱に沿って上方に移動すると共に前脚５が後脚９に近づく方向に移動する。ブラケット２１には前脚５の上端部が連結されているので、ブラケット２１が上方に移動すると前脚５の上端が上方に移動すると共に前脚５の緩湾曲部５ａに取り付けられた腰掛部支持ローラ２５の位置が後方かつ上方に移動する。腰掛部支持ローラ２５は、腰掛部１３の座フレーム４７の下部を支持しているので、腰掛部支持ローラ２５が上動することで、腰掛部１３は、座フレーム４７後端側の第２支持部材５１ｂの回動軸を回転中心として、図１の矢印で示すように、起立姿勢になる方向に回動する。
【００３５】
腰掛部１３を起立姿勢にする作用力は、腰掛部支持ローラ２５から座フレーム４７に与えられるものであり、その作用点は腰掛部支持ローラ２５が座フレーム４７と当接する位置である。作用点と座フレーム４７の回動軸の位置が近いと大きな作用力が必要となるが、本実施の形態では、座フレーム４７の回動軸を第２支持部材５１ｂの回動軸とすることで、作用点と回動軸の位置を上下にずらしており、これによって両者間の距離を離すことで作用力を小さくし、円滑な折り畳み動作を実現している。
【００３６】
ブラケット２１が支持柱１１に沿って所定の位置まで上動すると、図２、図５に示すように、腰掛部１３が起立姿勢になり、この状態で、図５に示すように、係止突起３５にフック３７を係止させることでブラケット２１が下方に移動するのを規制して、折り畳み状態を維持することができる。
【００３７】
腰掛部１３には、略L字形状の収納バッグ支持部材１５が設けられており、腰掛部１３の起立動作に連動して、収納バッグ支持部材１５の載置溝部５３が前方かつ斜め上方に移動する。収納バッグ１７の支持突起５７が載置溝部５３に載置されているので、収納バッグ１７は、腰掛部１３の起立動作に連動して、図１、図４に示す状態から、前方かつ斜め上方に移動して、図２、図５に示す状態になる。このとき、図２に示すように、収納バッグ１７は前脚５の下部に設けた前脚連結部材２３よりも前方にせり出しているが、前脚連結部材２３よりも上方に移動していることで、収納バッグ１７は前脚連結部材２３と干渉することがない。
【００３８】
また、図５に示すように、収納バッグ１７の背面には、腰掛部１３の座フレーム４７の後端に設けた横棒５５が当接するので、収納バッグ１７の姿勢が略直立状態に保持されている。
【００３９】
図２、図５に示す状態から、図３、図６に示す走行可能状態にするには、フック３７を係止突起３５から外し、操作部４３を支持柱１１に沿って下方に押し下げるようにすることで、ブラケット２１が支持柱１１に沿って下方に移動し、前脚５の下部が前方に移動する。このとき、腰掛部１３は起立姿勢を維持しており、収納バッグ１７の位置も変わらない。
この状態では、収納バッグ１７を斜め上方に持ち上げるようにすることで、収納バッグ１７を簡単に取り外すことができる。
【００４０】
図３、図６の状態から、図１、図４に示す着座可能状態にするには、腰掛部１３の座板部４９の前側を、図３の矢印で示す方向に押し下げるようにすることで、腰掛部１３を起立姿勢から着座姿勢にすることができる。腰掛部１３が起立姿勢から着座姿勢に変わることに連動して、収納バッグ１７が後方かつ斜め下方に移動して、図１、図４の状態になる。このとき、前脚５と後脚９の間には広いスペースがあるので、収納バッグ１７が前脚連結部材２３に干渉することはない。
【００４１】
以上のように、本実施の形態の手押し車１においては、腰掛部１３に設けた収納バッグ支持部材１５に収納バッグ１７を支持し、折り畳み状態にする動作に連動して、腰掛部１３が起立姿勢となることで、収納バッグ支持部材１５に支持された収納バッグ１７が上方に移動して、前脚５及び後脚９との干渉を避けるように構成したので、収納バッグ１７を、手押し車１を折り畳んだ際の前脚５と後脚９のスペースに入る大きさに限定されずに大型化することができる。
【００４２】
また、収納バッグ１７を、その両側部を回転可能に支持して、収納バッグ１７の下部後方側が後方に移動する状態にして、着座可能状態では逆Ｕ字部材５９によって、また走行可能状態では横棒５５によって、収納バッグ１７の背面側を支持して略鉛直姿勢になるようしたので、収納バッグ１７がぶらぶらと揺れることを防止して安定的に保持することができる。
【００４３】
なお、上記の説明では、収納バッグ１７を収納バッグ支持部材１５に着脱可能に支持して収納バッグ１７を取り外せるようにした例を示したが、収納バッグ１７は収納バッグ支持部材１５から取り外せない状態で支持するようにしてもよい。この場合には、収納バッグ１７の上面に開閉蓋を設けて、収納物を簡単に取り出せるようにすればよい。
【符号の説明】
【００４４】
１  手押し車
３  前輪
５  前脚
５ａ  緩湾曲部
５ｂ  急湾曲部
７  後輪
９  後脚
１１  支持柱
１３  腰掛部
１５  収納バッグ支持部材
１７  収納バッグ
１９  折り畳み機構
２１  ブラケット
２１ａ  筒状部
２１ｂ  張り出し部
２３  前脚連結部材
２５  腰掛部支持ローラ
２７  受け部材
２９  ハンドル
３１  ブレーキ棒
３３  背もたれ
３３ａ  爪部
３５  係止突起
３７  フック
３９  突起
４１  横部材
４３  操作部
４５  操作ハンドル
４７  座フレーム
４９  座板部
５１  支持機構
５１ａ  第１支持部材
５１ｂ  第２支持部材
５３  載置溝部
５５  横棒
５７  支持突起
５７ａ  軸部
５７ｂ  頭部
５９  逆Ｕ字部材
６１  斜材フレーム
６３  リンク機構
６３ａ  後側リンク
６３ｂ  前側リンク
６５  ねじりバネ
【図１】
2019217945.tif 000003
【図２】
2019217945.tif 000004
【図３】
2019217945.tif 000005
【図４】
2019217945.tif 000006
【図５】
2019217945.tif 000007
【図６】
2019217945.tif 000008
【図７】
2019217945.tif 000009
【図８】
2019217945.tif 000010